(57)【要約】  本発明は相互に移動可能な座部（１，５，６）を有する椅子座（１１）に関する。座部（１，５，６）は実質的一つの同一第一面において相互に移動可能である。前記椅子座は特に外科医用椅子として使用され得る。
2007536983.tif 000002
【特許請求の範囲】
【請求項１】
相互に移動可能な複数の座部（１，５，６）を有する椅子座（１１）において、前記座部は椅子座（１１）の長手方向において実質的一つの同一第一面において相互に移動可能であることを特徴とする、椅子座。
【請求項２】
横フレーム（３）を更に含み、かつそれぞれの座部（１，５，６）は案内面（２，７，９）により横フレーム（３）に固定され、かつ横フレーム（３）は椅子シリンダ（４）へ固定できる構成であることを特徴とする、請求項１の椅子座。
【請求項３】
前記座部（１，５，６）は右座部（１）、中央座部（５）、および左座部（６）を含むことを特徴とする、請求項１の椅子座。
【請求項４】
前記座部（１，５，６）は係止機構（８）により横フレーム（３）に係止できることを特徴とする、請求項１の椅子座。
【請求項５】
椅子座（１１）は座面を形成し、かつ前記座面は第一面に平行であることを特徴とする、請求項１の椅子座。
【請求項６】
外科医師用椅子として使用されることを特徴とする、請求項１の椅子座。
【発明の詳細な説明】
【技術分野】
【０００１】
本発明は、座部が一平面ないで相互に独立に移動可能な分割した椅子座に関する。この椅子座は特に、多くの場合には、相当に精確に限られた空間で数時間にわたって座って働かなければならない外科医に適している。かかる椅子座は、非類似の解剖体を有しかつ種々の形態の作業をする多くの人に適用可能に設計される。
【背景技術】
【０００２】
かかる椅子座は複数の座席位置として構成され、一部起立位置、胃腸または胸を支持する椅子の背もたれを伴う後方位置に、および通常の着座位置を含む。
【０００３】
ＵＳ特許第５０２９９４１号に外科医用椅子の一例があり、複数の支持機能および調節可能性が示されているが本発明の請求項に記載の座は示されていない。
【０００４】
ＮＯ１７８４８３に示された三部構成座の例は、ボートの操縦士用の椅子であり、ボート操縦士は通常着座位置に着座でき、また座席の両側を下へ蝶番止めすることにより若干立ち上がった起立位置にでき、かつ座席はサドル形態に形成されている。三部構成座は固定された中間部と、中間部に蝶番止めされた二側部を含み、かつ二側部は折り畳み可能である。
【０００５】
他の例としてＮＯ１８０２２１に示された三分構成の座は、使用者が腰の角度を変えることにより着座位置を変更できる蝶番止めされた前部を有する。
【０００６】
従って、分離部が、本願請求項に記載の、椅子座の着座面に実質的平行の一平面内で相互に対する関係で移動可能な座面部を有する椅子座を示すものでない。
【０００７】
【特許文献１】ＵＳ特許第５０２９９４１号
【特許文献２】ＮＯ１７８４８３
【特許文献３】ＮＯ１８０２２１
【発明の開示】
【０００８】
椅子座は、実質的単一面内で移動可能または伸張可能である二つ、三つまたはそれ以上の可動座部を含む。椅子座は、更に横フレームを有し、かつそれぞれの座部は案内面もしくは滑走面を介して横フレームに固定されてよい。横フレームは椅子シリンダに固定できる構成であってよい。
【０００９】
座部は右座部、中央座部、および左座部を含んでよい。
【００１０】
移動可能座部は係止機構により横フレームに係止できる。
【００１１】
椅子座は座面を形成し、かつ前記座面は第一面に平行である。
【００１２】
椅子座は、特に外科医師用椅子として構成されてよい。しかし、更に、他の目的、例えば歯科医師、金細工人、ボート操縦者、および着座位置に関して融通性を有利とする他の職業用として構成されてよい。
【発明を実施するための最良の形態】
【００１３】
図１には、下キャリッジ１２、背もたれ１３、および本発明による座１１を有する椅子１０が示されている。図１から理解できるように、中央座部５は伸張位置においてサドル形態で示され、椅子座１１が一部起立位置に調整できる形態に形成されている。更に、左座部６および右座部１は、中央座部５に適合する所定形状に設計され、左右座部の面が相互に対して対面するように構成される。高さ調整を可能にする椅子シリンダ４が椅子座１１と下キャリッジ１２との間に示されている。
【００１４】
図２には、本発明の一形態による椅子座が示されている。右座部１、中央座部５および左座部６が横フレーム３に取り付けられている。横フレーム３は椅子シリンダ４へ固定されてよい。椅子シリンダ４は通常の椅子下キャリッジ１２へ図１に示されたように当分野で周知の方法により連結されてよい。
【００１５】
各座部は案内面２により横フレーム３上で長手方向において調節できる。中央座部５は湾曲形成された両側を有し、中央部３が前方へ誘導されるとき、かつ／または右座部１および左座部６が後方へ誘導されるときに、中央座部５は他の図に示されたようにサドルに類似の形状を形成する。同様に、図２において、右座部１および左座部６は中央部のサドル形状に適合する形状に形成され、三つの座部が相互に対してズレたり伸張することなく側並びに設置される初期位置に設置されるときに、椅子座に実質的リセスが生じないにように形成される。
【００１６】
図３には図１および２の椅子座が示されているが、右座部１は右滑走面２に沿って横フレーム３に対して若干後退している。中央座部の円弧側が明瞭に示されている。左座部６は、右座部１よりも相当に後方へ移動している。図３は、右座部１、中央座部５、および左座部６が相互独立に一平面内で、どのように移動可能であるかを示す。
【００１７】
図４には図１および２の椅子座が示されているが、右座部１は右滑走面２に沿って横フレーム３に対して前方へ伸張している。左座部６は後方へ移動している。図４は、右座部１、中央座部５、および左座部６が相互独立に一平面内で、どのように移動可能であるかを示す。
【００１８】
図５において、右座部１が右滑走面２により横フレーム３へ取り付けられる椅子座の下側が示されている。中央座部５は中央滑走面９により横フレーム３へ固定される。左座部６は左滑走面２により横フレーム３へ取り付けられる。滑走面組立体２，７および９は当分野で周知の案内レールであってよく、またいずれの適宜タイプであってもよい。係止ハンドル８は中央座部５の背後に設置された状態で示されている。係止ハンドル８は所望位置にそれぞれの座部１，５，６を係止できるように設けられる。右座部１および左座部６は、唯一のハンドルによって前後に先導できるように連結されてよい。
【００１９】
他の実施形態において、中央座部５は横フレーム３に固定され、左座部１および右座部６は中央座部５および横フレーム３に対して前後に移動できる。選択的に、左座部１および右座部６は横フレーム３に固定され、かつ中央座部５は横フレーム３上に摺動自在に取り付けられてよい。しかし、この解決策は、左座部１および右座部６を独立に調節したいときに融通性に欠ける。
【００２０】
係止ハンドル８により制御される係止機構はいずれの種類であってよく、例えばそれぞれの要素内の凹部へ侵入する突出部であってよく、または無限に変化可能な摩擦機構であってよい。
【００２１】
係止ハンドル８は、好適には、係止ハンドルが補助者により操作できるように、外科医が接触しなように、椅子座の背もたれに設置される。これは、外科医の両手を滅菌維持するためである。
【００２２】
横フレーム３は、滑走面、ガイドまたはレール２，７，９が固定された単純板であってよい。神経科手術において、外科医は幾つかの手術のために高い着座位置を、他の手術時には低い着座位置を望む。一部起立した高い位置に快適に着座するために、椅子座は両腿を支持せず、例えばサドル形状であって、低いより通常に近い着座位置では両腿を支持する必要があることは一般的である。図示椅子座は、着座面が全着座位置に対して最適であるように調節かつ変形できる。
【００２３】
着座面の調節は、他の実施形態において、電子機械、電子、空気力学、水力学、またはそれらの結合により実施できる。
【００２４】
椅子座は、好適には、当分野で周知の背もたれ、運搬キャリッジを有する椅子に関して使用することが意図されている。
【００２５】
椅子は種々の着座位置に調節でき、従って、一般的に、椅子の運搬キャリッジは高さ調整自在のタイプであってよい。
【００２６】
椅子座は三部構成で示されているが、座は、例えば四部または五部構成等の座部であってよい。更に、単に二部構成の座部であってもよい。この場合、一部はサドル形態であり、他部はそのサドル形態に適合する形状である。ただし、二部構成の座部の場合、サドル部が前方へ伸張するときに着座位置が非対称になるので有利ではない。三部構成の図示形態は、椅子のバランスが容易に維持できかつ同時に完全な融通性が維持できるので選択されている。
【図面の簡単な説明】
【００２７】
【図１】本発明による座を有する椅子の一形態の斜視図である。
【図２】座部が第一位置にある、本発明による座の一形態の斜視図である。
【図３】座部が第二位置にある、図２に示された座の一形態の斜視図である。
【図４】座部が第三位置にある、図２に示された座の一形態の斜視図である。
【図５】座部が第四位置にある、図１および２に示された座の一形態の斜視図である。
【図１】
2007536983.tif 000003
【図２】
2007536983.tif 000004
【図３】
2007536983.tif 000005
【図４】
2007536983.tif 000006
【図５】
2007536983.tif 000007
【手続補正書】
【提出日】平成18年3月10日(2006.3.10)
【手続補正１】
【補正対象書類名】特許請求の範囲
【補正対象項目名】全文
【補正方法】変更
【補正の内容】
【特許請求の範囲】
【請求項１】
少なくとも右座部（１）、中央座部（５）および左座部（６）を有する相互に移動可能な複数の座部（１，５，６）を含む椅子座（１１）であって椅子座の着座面に実質的平行の第一面を形成する椅子座（１１）において、
前記座部（１，５，６）は椅子座（１１）の長手方向であって実質的同一の第一面において相互に対して前後移動可能でありかつ前記座部が長手方向において相互に整列する第一位置と、長手方向において中央座部（５）が左右座部（１，６）に対して前方へ突出する第二位置との間で移動可能であることを特徴とする、椅子座。
【請求項２】
前記中央座部（５）は実質的サドル形または弓状であり、かつ左右座部（１，６）は中央座部（５）に適合する形状を有し、左右座部（１，６）の中央座部（５）に対峙する面は、前記座部（１，５，６）が第一位置に設置されるときに椅子座内に実質的リセスが生じないように、中央座部（５）のサドル形または弓状に適合する、請求項１の椅子座。
【請求項３】
横フレーム（３）を更に含み、かつそれぞれの座部（１，５，６）は案内面（２，７，９）により横フレーム（３）に固定され、かつ横フレーム（３）は椅子シリンダ（４）へ固定できる構成であることを特徴とする、請求項１の椅子座。
【請求項４】
前記座部（１，５，６）は係止機構（８）により横フレーム（３）に係止できることを特徴とする、請求項１の椅子座。
【請求項５】
外科医師用椅子として使用されることを特徴とする、請求項１の椅子座の使用。
【国際調査報告】
2007536983.tif 000008
2007536983.tif 000009
2007536983.tif 000010